(57)【要約】【課題】  ハードディスクのデフラグメンテーションを短時間で行うことができ、かつハードディスクの駆動機構の摩耗などを抑制できる電子カメラシステムを提供する。【解決手段】  電子カメラシステムは、画像データを生成する撮像部と、画像データを記録するハードディスクと、カメラ外部とのデータ送受に用いられる第１接続手段と、第１接続手段を介して画像データをカメラ外部に転送するカメラ制御部と、を備えた電子カメラと、第１接続手段と接続可能な第２接続手段と、第２接続手段を介して電子カメラとのデータ送受を行うクレードル制御部と、電子カメラから転送された画像データを記録可能な記録部と、を備えたクレードルと、を有する。カメラ制御部およびクレードル制御部は、ハードディスクから記録部に画像データをすべて転送し、記録部に転送された画像データをハードディスクに再配置してデフラグメンテーションを実行することを特徴とする。【選択図】  図１
2006352481.tif 000002
【特許請求の範囲】
【請求項１】
撮影光学系による被写体像を光電変換して画像データを生成する撮像部と、前記画像データを記録するハードディスクと、カメラ外部とのデータ送受に用いられる第１接続手段と、前記第１接続手段を介して前記画像データをカメラ外部に転送するカメラ制御部と、を備えた電子カメラと、
前記第１接続手段と接続可能な第２接続手段と、前記第２接続手段を介して前記電子カメラとのデータ送受を行うクレードル制御部と、前記電子カメラから転送された前記画像データを記録可能な記録部と、を備えたクレードルと、を有し、
前記カメラ制御部および前記クレードル制御部は、前記ハードディスクから前記記録部に前記画像データをすべて転送し、前記記録部に転送された前記画像データを前記ハードディスクに再配置してデフラグメンテーションを実行することを特徴とする電子カメラシステム。
【請求項２】
前記電子カメラは、カメラ側認証情報を保持する第１認証情報保持部をさらに備え、
前記クレードルは、特定のカメラ側認証情報に対応付けされたクレードル側認証情報を保持する第２認証情報保持部をさらに備え、
前記カメラ制御部および前記クレードル制御部の少なくとも一方は、前記カメラ側認証情報および前記クレードル側認証情報を照合し、前記カメラ側認証情報および前記クレードル側認証情報が対応する場合に前記デフラグメンテーションが実行されることを特徴とする請求項１に記載の電子カメラシステム。
【請求項３】
前記電子カメラは充電池をさらに備え、
前記クレードルは前記充電池を充電するための充電装置をさらに備え、
前記カメラ制御部および前記クレードル制御部は、前記充電池の充電時または該充電時の前後に前記デフラグメンテーションを実行することを特徴とする請求項１または請求項２に記載の電子カメラシステム。
【請求項４】
前記電子カメラまたは前記クレードルは、前記デフラグメンテーションの前回実行日時および前記デフラグメンテーション後の接続回数のいずれかに関するデフラグ判定情報を記録するメモリをさらに備え、
前記カメラ制御部および前記クレードル制御部の少なくとも一方は、前記デフラグ判定情報に基づいて前記デフラグメンテーションの要否を判定することを特徴とする請求項１から請求項３のいずれか１項に記載の電子カメラシステム。
【請求項５】
前記カメラ制御部および前記クレードル制御部は、前記記録部の空き容量が前記ハードディスクの合計データ量以上の場合に前記デフラグメンテーションを実行することを特徴とする請求項１から請求項４のいずれか１項に記載の電子カメラシステム。
【請求項６】
撮影光学系による被写体像を光電変換して画像データを生成する撮像部と、前記画像データを記録するハードディスクと、カメラ外部とのデータ送受に用いられる第１接続手段と、前記第１接続手段を介して前記画像データをカメラ外部に転送するカメラ制御部と、を備えた電子カメラと、
前記第１接続手段と接続可能な第２接続手段と、前記第２接続手段を介して前記電子カメラとのデータ送受を行うクレードル制御部と、前記電子カメラから転送された前記画像データを記録可能な記録部と、を備えたクレードルと、を有する電子カメラシステムに関するデフラグメンテーション方法であって、
前記カメラ制御部が前記ハードディスクから前記画像データを前記クレードル側にすべて転送し、前記クレードル制御部が前記記録部に前記画像データを記録する工程と、
前記クレードル制御部が前記記録部の前記画像データを前記電子カメラに再転送し、前記カメラ制御部が前記ハードディスクに前記画像データをデフラグメンテーションされた状態で再配置する工程と、
を有することを特徴とするデフラグメンテーション方法。
【発明の詳細な説明】
【技術分野】
【０００１】
本発明は、ハードディスクを内蔵した電子カメラと、クレードルとを有する電子カメラシステムに関する。
【背景技術】
【０００２】
近年、被写体像を電子的に記録する電子カメラが急速に普及しつつある。かかる電子カメラには、画像の転送や充電を行うための拡張機器であるクレードルを付属品として有する機種もある。
ところで、画像データの高解像度化などに伴って、近年では電子カメラの記録媒体にハードディスクを適用することも検討されている。この電子カメラで画像データの保存および消去を繰り返すと、ディスク断片化（フラグメンテーション）が発生してアクセス効率が低下することとなる。例えば、画像データを読み出す場合には、フラグメンテーションを生じた箇所では磁気ヘッドの移動時間（シーク時間）を要することとなる。ハードディスクに対して情報の消去と記録を繰り返すと次第にデータの分割数が増え、分割された断片間の距離も大きくなって長いシーク時間を要するようになる。
【０００３】
そのため、ハードディスクを備えた電子機器では、デフラグメンテーション（ディスク最適化）と称されるディスク断片化の解消手段が設けられている。なお、特許文献１には、クレードルとの接続時に充電等の動作に先立ってデフラグメンテーションを実行する情報記録再生装置が開示されている。
【特許文献１】特開２００４−２９５７５５号公報
【発明の開示】
【発明が解決しようとする課題】
【０００４】
しかし、電子カメラの内蔵ハードディスクでは小型化および省電力化が要求されることから、一般的に磁気ヘッドの移動速度が比較的遅い。一方、デフラグメンテーション時には磁気ヘッドが頻繁に動作するため、上記のようにハードディスクを内蔵する電子カメラではデフラグメンテーションに非常に時間がかかる点で改善の余地があった。また、デフラグメンテーション時には磁気ヘッドが頻繁に動作するため、ハードディスクの駆動機構が摩耗し易くなるという点でも改善の余地があった。
【０００５】
なお、上記特許文献１の装置ではハードディスクのデフラグメンテーションは通常と同様に行われるため、上記問題を何ら解決するものではない。
本発明は上記従来技術の課題を解決するためのものであって、その目的は、電子カメラのハードディスクのデフラグメンテーションを短時間で行うことができ、かつハードディスクの駆動機構の摩耗などを抑制できる電子カメラシステムを提供することである。
【課題を解決するための手段】
【０００６】
第１の発明の電子カメラシステムは、撮影光学系による被写体像を光電変換して画像データを生成する撮像部と、画像データを記録するハードディスクと、カメラ外部とのデータ送受に用いられる第１接続手段と、第１接続手段を介して画像データをカメラ外部に転送するカメラ制御部と、を備えた電子カメラと、第１接続手段と接続可能な第２接続手段と、第２接続手段を介して電子カメラとのデータ送受を行うクレードル制御部と、電子カメラから転送された画像データを記録可能な記録部と、を備えたクレードルと、を有し、カメラ制御部およびクレードル制御部は、ハードディスクから記録部に画像データをすべて転送し、記録部に転送された画像データをハードディスクに再配置してデフラグメンテーションを実行することを特徴とする。
【０００７】
第２の発明は、第１の発明において、電子カメラは、カメラ側認証情報を保持する第１認証情報保持部をさらに備え、クレードルは、特定のカメラ側認証情報に対応付けされたクレードル側認証情報を保持する第２認証情報保持部をさらに備え、カメラ制御部およびクレードル制御部の少なくとも一方は、カメラ側認証情報およびクレードル側認証情報を照合し、カメラ側認証情報およびクレードル側認証情報が対応する場合にデフラグメンテーションが実行されることを特徴とする。
【０００８】
第３の発明は、第１または第２の発明において、電子カメラは充電池をさらに備え、クレードルは充電池を充電するための充電装置をさらに備え、カメラ制御部およびクレードル制御部は、充電池の充電時または該充電時の前後にデフラグメンテーションを実行することを特徴とする。
第４の発明は、第１から第３のいずれかの発明において、電子カメラまたはクレードルは、デフラグメンテーションの前回実行日時およびデフラグメンテーション後の接続回数のいずれかに関するデフラグ判定情報を記録するメモリをさらに備え、カメラ制御部およびクレードル制御部の少なくとも一方は、デフラグ判定情報に基づいてデフラグメンテーションの要否を判定することを特徴とする。
【０００９】
第５の発明は、第１から第４のいずれかの発明において、カメラ制御部およびクレードル制御部は、記録部の空き容量がハードディスクの合計データ量以上の場合にデフラグメンテーションを実行することを特徴とする。
なお、上記発明に関する構成を方法、記録媒体、コンピュータプログラムなどに変換して表現したものも本発明の具体的態様として有効である。
【発明の効果】
【００１０】
本発明では、電子カメラからクレードルに画像データをすべて転送し、クレードルの画像データをハードディスクに再配置してデフラグメンテーションを短時間で実行する。また、デフラグメンテーション実行時におけるハードディスクの駆動機構の摩耗なども著しく抑制できる。
【発明を実施するための最良の形態】
【００１１】
以下、図面を参照しつつ本実施形態の電子カメラシステムの構成を詳細に説明する。
図１は本実施形態の電子カメラシステムを示す概要図である。本実施形態の電子カメラシステムは電子カメラ１０とクレードル３０とを有している。この電子カメラ１０の底面部には第１接続端子２０が形成されている。
一方、図１（ａ）に示すように、クレードル３０の上面には電子カメラ１０を載置するためのカメラ受け部３１が形成されている。カメラ受け部３１の内面には、第１接続端子２０と雄雌関係をなす第２接続端子３２と、マイクロスイッチ３３とが配置されている。そして、図１（ｂ）に示すように、電子カメラ１０をカメラ受け部３１に配置すると、第１接続端子２０と第２接続端子３２とが係合して電子カメラ１０およびクレードル３０間の電気的接続が確立する。なお、クレードル３０は、マイクロスイッチ３３の押圧の有無で電子カメラ１０との接続状態を検知できる。
【００１２】
図２は本実施形態の電子カメラシステムの構成を示すブロック図である。
電子カメラ１０は、撮影レンズ１１と、撮像素子１２と、Ａ／Ｄ変換部１３と、バッファメモリ１４と、画像処理部１５と、ハードディスク１６と、液晶モニタ１７および操作部材１８と、カメラ各部に電力を供給する充電池１９と、第１接続端子２０と、ＣＰＵ２１およびデータバス２２とを有している。なお、バッファメモリ１４、画像処理部１５、ハードディスク１６、液晶モニタ１７およびＣＰＵ２１は、データバス２２を介して接続されている。
【００１３】
撮像素子１２は撮影レンズ１１を通過した光束を光電変換して被写体像のアナログ画像信号を生成する。Ａ／Ｄ変換部１３は撮像素子１２のアナログ画像信号をデジタル画像信号に変換する。バッファメモリ１４は、画像処理部１５での画像処理の前工程または後工程で画像データを一時的に保存する。画像処理部１５は、デジタル画像信号に画像処理（欠陥画素補正、ガンマ補正、補間、色変換、エッジ強調など）を施して画像データ（動画像データまたは静止画像データ）を生成する。また、画像処理部１５は画像データの圧縮伸長処理も実行する。
【００１４】
ハードディスク１６には画像処理部１５で生成された画像データが記録される。このハードディスク１６は、表面に磁気材料を塗布した円盤状の磁気ディスクと、磁気ディスクと非接触でデータを読み書きする磁気ヘッドと、スピンドルモータ等の磁気ディスク回転機構と、磁気ヘッド駆動機構と、データ読み書きを制御するコントローラとを有している（ハードディスクの詳細構造の図示は省略する）。なお、ハードディスク１６は、磁気ディスクを円筒状に積層して複数配置する構成が一般的である。
【００１５】
ここで、ハードディスク１６の各磁気ディスクには情報を記録するための物理フォーマットがなされている。各磁気ディスクには同心円状の記録領域（トラック）が複数形成されている。各トラックは円の中心から放射状に複数領域（セクタ）に分割されている。このセクタがハードディスク１６で読み書きされるデータの最小サイズとなる。また、各磁気ディスクの各記憶面にはそれぞれシリンダ番号が付されている。そして、画像データはハードディスク上の複数のセクタに跨って記録されることとなる。なお、ハードディスク１６に記録される各データは、シリンダ番号、トラック番号、セクタ番号の組み合わせからなるアドレスによって、ハードディスク１６での記録位置が表現される。
【００１６】
液晶モニタ１７には、ハードディスク１６に記録された画像データの再生表示や、カメラの各種設定を変更するための設定画面などが表示される。操作部材１８は、電子カメラの各種設定に用いる設定スイッチや、レリーズ釦（１８ａ）などで構成されている。また、第１接続端子２０はＣＰＵ２１からの信号入出力線や、充電池１９への電力供給線に接続されている。
【００１７】
ＣＰＵ２１は、図示しないＲＯＭに格納されたシーケンスプログラムに従って電子カメラの各部動作を制御する。例えば、ＣＰＵ２１は、クレードル３０との接続時に後述のクレードル制御部４１に対して各種データ（画像データなど）の送受を実行する。また、ＣＰＵ２１はクレードル３０との接続時に充電池の充電動作を実行する。
特に本実施形態では、ＣＰＵ２１はクレードル制御部４１と連動してハードディスク１６のデフラグメンテーションを実行する。また、ＣＰＵ２１は、個々の電子カメラを識別可能にするためのカメラ側認証情報（例えば、バスワードやシリアル番号などの情報）を保持している。なお、このカメラ側認証情報はクレードル３０側に送信され、クレードル制御部４１によるデフラグメンテーションの可否判定に使用される。
【００１８】
一方、クレードル３０は、第２接続端子３２と、マイクロスイッチ３３と、表示Ｉ／Ｆ３４および通信Ｉ／Ｆ３５と、充電装置３６と、記録部３７と、管理メモリ３８と、操作部３９および表示部４０と、クレードル制御部４１とを有している。なお、第２接続端子３２はクレードル制御部４１からの信号入出力線や、充電装置３６の電力供給線に接続されている。
【００１９】
表示Ｉ／Ｆ３４は、画像データの再生表示出力を不図示のテレビ等に出力するためのインターフェースである。この表示Ｉ／Ｆ３４は公知の映像出力端子（例えば、コンポジット映像端子、セパレート映像端子など）を有している。
通信Ｉ／Ｆ３５は、ＵＳＢ（Universal Serial Bus）やＩＥＥＥ１３９４などのシリアル通信規格に準拠して、クレードル３０に接続された外部装置（パーソナルコンピュータ等）とのデータ送受信を制御する。充電装置３６は、不図示の外部電源の電力供給を受けて、第１接続端子２０および第２接続端子３２を介して電子カメラ１０の充電池１９を充電する。
【００２０】
記録部３７は、電子カメラ１０のハードディスク１６よりも記録容量が大きいハードディスクで構成される。そのため、電子カメラ１０で撮影した画像データを記録部３７に逐次転送して保存することも可能である。また、記録部３７のハードディスクは、磁気ヘッドの移動速度および磁気ディスクの回転速度（アクセス時間）が電子カメラ１０のハードディスク１６より高速のものが使用されている。なお、本実施形態では、後述のように記録部３７の空き容量を利用してデフラグメンテーションを実行する。
【００２１】
管理メモリ３８には、デフラグ判定情報やクレードル側認証情報が記録されている。ここで、デフラグ判定情報は、前回のデフラグ実行日時や、前回のデフラグ実行時を起算点とした電子カメラ１０とクレードル３０との接続回数などの情報で構成されている。また、クレードル側認証情報は特定のカメラ側認証情報と対応付けされている。このクレードル側認証情報は、画像データの転送が許容されている電子カメラ１０をクレードル３０側で識別するために使用される。なお、管理メモリ３８には複数のクレードル側認証情報を登録でき、１台のクレードル３０を複数台の電子カメラ１０で共用することも可能である。
【００２２】
操作部３９は、電子カメラ１０からの画像データの読み出しなどをクレードル制御部４１に指示するために使用される。また、操作部３９は、カメラ側認証情報およびクレードル認証情報の登録設定（電子カメラ１０の登録）に使用される。
表示部４０にはクレードル３０の動作状態や記録部３７の空き容量などの情報が表示される。
【００２３】
クレードル制御部４１はクレードル３０の各部を制御する。例えば、クレードル制御部４１は、電子カメラ１０側から転送された画像データを記録部３７に保存する動作や、画像データの再生画像を表示Ｉ／Ｆ３４から外部に出力する動作や、画像データを通信Ｉ／Ｆ３５から外部装置に転送する動作などを実行する。
また、本実施形態のクレードル制御部４１は、ＣＰＵ２１と連動してハードディスク１６のデフラグメンテーションを実行する。特にクレードル制御部４１は、（１）認証情報の照合によるデフラグメンテーションの可否判定や（２）デフラグ判定情報に基づくデフラグメンテーションの可否判定、などを実行する。
【００２４】
次に、図３の流れ図を参照しつつ、本実施形態の電子カメラシステムによるデフラグメンテーションの動作を説明する。なお、本実施形態のデフラグメンテーションでは、電子カメラ１０からクレードル３０に画像データをすべて転送し、クレードル３０の画像データをハードディスク１０に再配置する点に特徴がある。
ステップＳ１０１：クレードル制御部４１は電子カメラ１０とクレードル３０との接続をマイクロスイッチ３３の入力で検知する。次に、クレードル制御部４１はＣＰＵ２１との通信を行い、カメラ側認証情報やハードディスクの合計データ量などの情報をＣＰＵ２１から取得する。そして、クレードル制御部４１は充電装置３６を駆動させて充電池１９の充電動作を開始する。
【００２５】
ステップＳ１０２：クレードル制御部４１はカメラ側認証情報とクレードル側認証情報とを照合し、対応するクレードル側認証情報があるか否かを判定する。対応するクレードル側認証情報がある場合（ＹＥＳ側）にはＳ１０３に移行する。一方、対応するクレードル側認証情報がない場合（ＮＯ側）には、クレードル制御部４１はデフラグメンテーションを実行することなく、上記の充電動作のみを継続する。なお、２つの認証情報が対応しない場合の具体例としては、電子カメラ１０とクレードル３０との所有者が異なる場合などが挙げられる。
【００２６】
ステップＳ１０３：クレードル制御部４１は、管理メモリ３８のデフラグ判定情報に基づいてハードディスク１６のデフラグ実行条件が具備されているか否かを判定する。例えば、クレードル制御部４１は、（１）前回のデフラグ実行日時から所定期間が経過しているか、（２）電子カメラ１０とクレードル３０との接続回数が所定回数以上であるか、のいずれかの条件に合致するかを判定する。
【００２７】
そして、上記の実行条件を具備する場合（ＹＥＳ側）にはＳ１０４に移行する。一方、実行条件を具備しない場合（ＮＯ側）には、ハードディスク１６でのディスク断片化はさほど進行していないと考えられる。したがって、この場合にはクレードル制御部４１はデフラグメンテーションを実行することなく、上記の充電動作のみを継続する。
ステップＳ１０４：クレードル制御部４１は、記録部３７の空き容量がハードディスク１６の合計データ量以上であるか否かを判定する。空き容量が合計データ量以上の場合（ＹＥＳ側）にはＳ１０５に移行する。一方、空き容量が合計データ量未満の場合（ＮＯ側）には、ハードディスク１６の全データを記録部３７に転送することができない。そのため、この場合には、クレードル制御部４１はデフラグメンテーションを実行することなく、上記の充電動作のみを継続する。なお、この場合には、クレードル制御部４１は、「記録部３７の空き容量不足でデフラグメンテーションが実行できない」旨を表示部４０に文字またはアイコン等で警告表示する。
【００２８】
ステップＳ１０５：クレードル制御部４１は、ＣＰＵ２１と連動してハードディスク１６のデフラグメンテーションを実行する。まず、ＣＰＵ２１は、ハードディスク１６から画像データを含む全データを読み出してクレードル３０側に転送する。このＳ１０５では、ＣＰＵ２１はハードディスク１６の全データを断片化されたままの状態でアドレス順に読み出してクレードル３０側に転送する。そして、クレードル制御部４１は転送された全データを記録部３７に順次書き込みする。
【００２９】
ステップＳ１０６：ＣＰＵ２１は、上記のデータ転送完了後（Ｓ１０５）に、ハードディスク１６からデイレクトリ情報等の管理情報のみを消去してハードディスク１６を上書き可能な状態に変更する。なお、Ｓ１０６の時点では、ハードディスク１６の画像データ等は記録部３７にバックアップされた状態となっている。
ステップＳ１０７：クレードル制御部４１は、Ｓ１０５で書き込まれた全データを記録部３７から電子カメラ１０側に再転送する。このＳ１０７では、クレードル制御部４１は記録部から各画像データをランダムアクセスで順次読み出し、各画像データが連続化された状態となるように転送する。そして、ＣＰＵ２１はハードディスク１６に再転送された画像データを順次書き込みする。ここで、画像データはクレードル３０側から予め連続化された状態で転送されるので、ハードディスク１６上には各画像データがデフラグメンテーションされた状態で再配置されることとなる。
【００３０】
ステップＳ１０８：クレードル制御部４１は上記のデータ転送完了後（Ｓ１０７）に、転送した全データを記録部３７から削除する。
ステップＳ１０９：クレードル制御部４１は管理メモリ３８のデフラグ判定情報を更新し、デフラグメンテーション動作を終了する。
以下、本実施形態の電子カメラシステムの効果を説明する。
【００３１】
（１）本実施形態では、ＣＰＵ２１はクレードル３０側に画像データをすべて転送する（Ｓ１０５）。そして、クレードル制御部４１は各画像データが連続化された状態となるように電子カメラ１０側に画像データを再転送する（Ｓ１０７）。すなわち、本実施形態では、画像データのアクセス効率が高いクレードル３０側の記録部３７を利用し、電子カメラ１０側のハードディスク１６の駆動量を最小化してデフラグメンテーションを実行する。したがって、本実施形態では、ハードディスク１６のデフラグメンテーションを電子カメラ単体で実行する場合と比べて著しく短い時間で完了させることができる。また、ハードディスク１６の磁気ヘッド等の駆動量が最小化されるので、デフラグメンテーション実行時におけるハードディスク１６の駆動機構の摩耗なども著しく抑制できる。
【００３２】
（２）本実施形態では、ハードディスク１６または記録部３７のいずれかにすべての画像データが残されている状態でデフラグメンテーションが実行される。したがって、電子カメラ１０とクレードル３０の接続解除や電源の瞬断などでデフラグメンテーションが中断しても、画像データが消失して復元不能となることはない。また、本実施形態のデフラグメンテーションは、カメラ側認証情報とクレードル側認証情報とが一致した場合のみ実行される（Ｓ１０２）。したがって、デフラグメンテーションの際に電子カメラ１０のハードディスク１６からプライベートな画像データが他人のクレードル３０に不正に流出することもない。
【００３３】
（３）本実施形態では、クレードル制御部４１がデフラグ判定情報に基づいて自動的にデフラグメンテーションを実行する（Ｓ１０３）。しかも、上記のデフラグメンテーションは、ユーザーが電子カメラ１０を使用しない充電時に行われる（Ｓ１０１）。したがって、本実施形態では、ユーザーが特に意識しなくともハードディスク１６は最適化状態に近い状態に自動的に維持されることとなり、シーク回数、シーク時間の最小化によってハードディスク１６のデータ転送効率が向上する。
【００３４】
（実施形態の補足事項）
以上、本発明を上記の実施形態によって説明してきたが、本発明の技術的範囲は上記実施形態に限定されるものではなく、例えば以下のような形態であってもよい。
（１）本発明のクレードルは、上記実施形態のように単体の装置で構成される場合に限定されない。例えば、パーソナルコンピュータにクレードルを接続し、パーソナルコンピュータが上記実施形態のクレードル制御部および記録部などの機能を実現する構成としてもよい（図示を省略する）。
【００３５】
（２）本発明では、電子カメラおよびクレードル間のデータ転送を赤外線通信や無線通信などの手段で行うように構成してもよい。
（３）本発明では、上記実施形態のＳ１０８の工程を省略して記録部に画像データを保存するようにしてもよい。
（４）また、本発明では記録部に画像データを転送した後に記録部内で画像データのデフラグメンテーションを実行し、その後に連続化された画像データを電子カメラ側に再転送するようにしてもよい。
【００３６】
（５）上記実施形態ではデフラグメンテーションと充電動作とを並行して行う例を示したが、本発明にはデフラグメンテーション終了後に充電池を充電する構成と、充電終了後にデフラグメンテーションを実行する構成とのいずれもが包含される。
【図面の簡単な説明】
【００３７】
【図１】本実施形態の電子カメラシステムを示す概要図
【図２】本実施形態の電子カメラシステムの構成を示すブロック図
【図３】本実施形態でのデフラグメンテーションの動作を説明する流れ図
【符号の説明】
【００３８】
１０…電子カメラ、１２…撮像素子、１５…画像処理部、１６…ハードディスク、１９…充電池、２０…第１接続端子、２１…ＣＰＵ、３０…クレードル、３２…第２接続端子、３６…充電装置、３７…記録部、３８…管理メモリ、４１…クレードル制御部
【図１】
2006352481.tif 000003
【図２】
2006352481.tif 000004
【図３】
2006352481.tif 000005